(57)【特許請求の範囲】
【請求項１】
固定屋根部分に形成された屋根開口部、及び該屋根開口部を、固定スライドガイドに沿って移動可能であり、かつ、可動パネルのパネル曲線部と協働するパネル係合手段を設けられたスライド部によって、開閉するための可動パネルを備える車両用オープンルーフ構造であって、前記スライド部の移動が、前記パネルの傾斜及び／又はスライド動作を発生させることが可能である車両用オープンルーフ構造において、
ロックレバーはヒンジ式ポイントによって前記パネルに接続されているとともに、前記ロックレバーには、第一に前記スライド部のスライド曲線部と協働するスライド係合手段と、第二に固定レバーガイドと協働するガイド手段と、第三に固定ロックガイドと協働するロック部材と、が設けられており、よって、前記スライド部の第１位置において、前記ロック部材は、前記ロックレバー及び該ロックレバーに接続されている前記パネルの並進移動を阻止する第１固定ロックガイド部分の中に収容され、前記スライド部の第２位置において、前記ロック部材は、前記ロックレバーの並進移動、及びこの前記ロックレバーの並進運動によって前記ヒンジ式ポイントで前記ロックレバーに接続されている前記パネルの並進移動を可能にする第２固定ロックガイド部分の中に収容されていることを特徴とする車両用オープンルーフ構造。
【請求項２】
前記スライド曲線部は、傾斜した延長部を有しており、よって、前記ロックレバーに対して前記スライド部を移動させた場合に、前記スライド曲線部と前記スライド係合手段との間の協働が、前記第１固定ロックガイド部分の中又は外に、それぞれ、前記ロック部材を移動させることを特徴とする請求項１に記載のオープンルーフ構造。
【請求項３】
前記第１固定ロックガイド部分は、略垂直に延在しているのに対して、前記第２固定ロックガイド部分は、略水平に延在していることを特徴とする請求項１又は２に記載のオープンルーフ構造。
【請求項４】
前記第１固定ロックガイド部分は、垂直線に対して傾斜して延在している、及び／又は前記第２固定ロックガイド部分は、水平線に対して傾斜して延在している、及び／又は前記レバーガイドは、水平線に対して傾斜して延在していることを特徴とする請求項１又は２に記載のオープンルーフ構造。
【請求項５】
前記ロックレバーの長手方向に見て、前記ガイド手段が、前記ヒンジ式ポイントと前記ロックレバーの前記スライド係合手段との間に配置されていることを特徴とする請求項１〜４のいずれか１項に記載のオープンルーフ構造。
【請求項６】
前記ロックレバーの長手方向に見て、前記ヒンジ式ポイントが、前記ガイド手段と前記ロックレバーの前記スライド係合手段との間に配置されていることを特徴とする請求項１〜４のいずれか１項に記載のオープンルーフ構造。
【請求項７】
前記ロックレバーの長手方向に見て、前記ヒンジ式ポイントが、前記ロックレバーの前記ガイド手段と一致していることを特徴とする請求項１〜４のいずれか１項に記載のオープンルーフ構造。
【請求項８】
前記ロック部材が、前記スライド係合手段と一致していることを特徴とする請求項１〜７のいずれか１項に記載のオープンルーフ構造。
【請求項９】
前記ロック部材が、前記ヒンジ式ポイントと一致していることを特徴とする請求項１〜７のいずれか１項に記載のオープンルーフ構造。
【請求項１０】
前記固定スライドガイドと前記固定レバーガイドとは一致していることを特徴とする請求項１〜９のいずれか１項に記載のオープンルーフ構造。
【請求項１１】
前記ロックレバーは、板形状の部材として構築されていることを特徴とする請求項１〜１０のいずれか１項に記載のオープンルーフ構造。
【請求項１２】
前記ロックレバーは、間隔を置いた２つのウェブを備えたＵ字形状の断面を有する部材として構築されており、前記２つのウェブは、間に前記パネル曲線部を設けられた前記パネルの一部分を少なくとも部分的に受け入れるための間隔を形成していることを特徴とする請求項１〜１０のいずれか１項に記載のオープンルーフ構造。
【請求項１３】
前記パネル曲線部は、長手方向のＴ字形状部材によって形成されており、前記スライド部の前記パネル係合手段は、前記Ｔ字形状部材を受け入れるためのＴ字形状凹部を、対応して形成していることを特徴とする請求項１〜１２のいずれか１項に記載のオープンルーフ構造。
【請求項１４】
前記スライド曲線部及び前記パネル曲線部の形状は、前記スライド部の第１方向への移動の間は、前記ロック部材が前記第１固定ロックガイド部分の中に止まるとともに、前記パネルが開放位置まで上方に傾斜するのに対して、前記スライド部の反対方向への移動の間は、前記ロック部材は前記第１固定ロックガイド部分から出て、前記第２固定ロックガイド部分の中に移動するとともに、前記パネルは、最初に、開放位置まで下方に傾斜し、次に、前記反対方向に、前記スライド部と同調してスライドする、形状であることを特徴とする請求項１〜１３のいずれか１項に記載のオープンルーフ構造。
【請求項１５】
前記第１方向は前記車両の前方方向であり、前記反対方向は前記車両の後方方向であることを特徴とする請求項１４に記載のオープンルーフ構造。
【発明の詳細な説明】
【技術分野】
【０００１】
本発明は、車両用オープンルーフ構造であって、固定屋根部分に形成された屋根開口部、及び屋根開口部を、固定スライドガイドに沿って移動可能であるとともに、可動パネルのパネル曲線部と協働しているパネル係合手段を設けられたスライド部によって、開閉するための可動パネルを備える車両用オープンルーフ構造であって、スライド部の移動が、パネルの傾斜及び／又はスライド動作を発生させることが可能である車両用オープンルーフ構造に関する。
【背景技術】
【０００２】
このようなオープンルーフ構造においては、基本的に、スライド部の移動が、可動パネルの移動（すなわちパネルの傾斜及び／又はスライド移動）に関与している。パネルの傾斜動作とスライド動作との間を区別するために、最新技術では、複雑な機構が使用されている。
【発明の開示】
【発明が解決しようとする課題】
【０００３】
本発明の目的は、部品の数を減らし、可動パネルの動作の最適を達成することができる手段によって、改善された上述のタイプのオープンルーフ構造を提供することである。
【課題を解決するための手段】
【０００４】
本発明によって、上述したタイプのオープンルーフ構造が提供されており、このオープンルーフ構造は、ヒンジ式ポイントによってパネルに接続されているとともに、スライド部のスライド曲線部と協働しているスライド係合手段を有しているロックレバー、固定レバーガイドと協働しているガイド手段、及び固定ロックガイドと協働しているロック部材を特徴としており、よって、スライド部の第１位置において、ロック部材がロックレバー及びロックレバーに接続されているパネルの並進移動を阻止する第１固定ロックガイド部分の中に収容され、スライド部の第２位置において、ロック部材が、ロックレバーの並進移動、及びこのロックレバーの並進移動によってヒンジ式ポイントでロックレバーに接続されているパネルの並進移動を可能にする第２固定ロックガイド部分の中に収容されている。
【０００５】
本発明によるオープンルーフ構造の好適な実施形態は、従属請求項に定義されている。
【０００６】
本発明によるオープンルーフ構造は、最小限の部品によって、可動パネルの所望の動作を得ることを可能にする。ロックレバーの位置は、基本的に、２つの状態を規定している。
【０００７】
第一の状態（ロック部材が、第１固定ロックガイド部分に配置されている）は、ロックレバーの並進移動（ひいてはヒンジ式ポイントでロックレバーに接続されたパネル）が、阻止されるが、可動パネルは、傾斜位置まで傾斜することができる状態であり、第二の状態（ロック部材が、第２固定ロックガイド部分に配置されている）は、このような並進移動（場合により可動パネルの傾斜動作と組み合わせられる）が可能になる状態である。ロックレバーの動作は、スライド部のスライド動作によって自動的に発生し、複雑な追加の機構は必要とされない。
【０００８】
本オープンルーフ構造は、パネル、及び特にパネルの前縁部の動作の全体設計の自由度を提供する。その結果、過度な、又は制御されていない加速度の結果としての衝撃及び雑音を避けることができ、組立て部品のより滑らかな動作を導く。
【０００９】
以下、図を参照することで本発明を明らかにする。
【発明を実施するための最良の形態】
【００１０】
本発明による車両用オープンルーフ構造は、固定屋根部２に形成されている屋根開口部１、及び前記屋根開口部を開放したり閉鎖したりするための可動パネル３を備えている（これらの要素のいくつかのために、図３〜７を参照する）。
【００１１】
図１を参照すると、固定スライドガイド部５に沿って移動可能なスライド部４が図示されている（図３参照）。
【００１２】
例えば、図３に図示されているように、スライド部４の動作は、駆動手段６、例えば、それら自体が既知である駆動ケーブル、によって得ることができる。スライド部４は、固定スライドガイド５と協働するガイドシュー（guide shoes）７を有することができる。
【００１３】
スライド部４は、可動パネルのパネル曲線部９と協働するためのパネル係合手段８を備えている。図１に図示されている実施形態においては、前記パネル係合手段８は、Ｔ字形状の凹部によって形成されているのに対して、パネル曲線部９は、対応する形状の長手方向のＴ字形状部材によって形成されており、このパネル曲線部は、詳細に図示されてはいないが、可動パネル３に接続されるブラケット１０の一部分である。
【００１４】
本明細書に図示されている実施形態においては、スライド部４は、以下で明らかにされるように、傾斜した延長部を有するスライド曲線部１１をさらに備えている。
【００１５】
オープンルーフ構造は、ヒンジ式ピン１３によって、パネル３（のブラケット）上の、対応するヒンジ式ポイント１４に接続することができるロックレバー１２をさらに備えている。
【００１６】
図１に図示されている実施形態においては、ロックレバー１２は、間隔を置いた２つのウェブ１５及び１６を備えたＵ字形状断面を有する部材として構築されており、これらのウェブは、それらの間に、少なくとも部分的にパネル３（のブラケット１０）の一部を受け入れるための間隔１７を形成している。
【００１７】
ロックレバーは、図示された実施形態においてはピンである、スライド係合手段１８をさらに有しており、スライド部４のスライド曲線部１１と協働する。さらに、ロックレバー１２は、固定レバーガイド２０（図３に図示されている）と協働するガイド手段１９、及び固定ロックガイド２２と協働するロック部材２１を備えている。
【００１８】
図２は、組立てられた位置における、図１に示されている部品を示しており、ロックレバー１２とブラケット１０（ひいてはパネル３）との間の接続は、ヒンジ式ピン１３（及びヒンジ式ポイント１４、この図では見えない）によって規定されており、Ｔ字形状の凹部８が、Ｔ字形状の部材９を受け入れている。さらに、この位置においては、ピン１８（この図では見えない）が、スライド曲線部１１の中に受け入れられているとともに、ロック部材２１（この図では見えない）が、固定ロックガイド２２の中に受け入れられている。
【００１９】
図３は、本発明によるオープンルーフ構造のそれぞれの部品の間の、相対的な位置及び協調を、図式的に示している。図３は可能な実施形態を示しているのみであり、別の実施形態も可能であることに注意する。
【００２０】
図３は、パネル３が、屋根開口部１を閉鎖し、ロックレバー１２のロック部材２１が、固定ロックガイド２２の第１部分２２’に配置されている状態を示している。この第１固定ロックガイド部分２２’は、略垂直に延在し、略水平に（又は、さらに正確には、スライド部４の移動方向に対して平行に）延在している第２固定ロックガイド部分２２”と接続されている。
【００２１】
図３に図示されている位置で始まり、スライド部４が、左方向に移動する場合、ロックレバー１２のスライド係合手段１８は、スライド曲線部１１の中でスライドするだろう、なぜならば、ロックレバー１２は、左方向に移動することができないからである（この移動は、垂直に延在する第１固定ロックガイド部分２２’の中のロック部材２１の位置によって、阻止されている）。結果として、パネル３（ヒンジ式ポイント１４でロックレバー１２に接続されている）は、スライド部４の移動を追従しないだろう。
【００２２】
スライド部４の、左方向への移動の間、スライド部のパネル係合手段８は、（左に向かって）下方に傾斜して延在するパネル曲線部９に沿って移動し、よって、パネル３は、ヒンジ式ポイント１４の周囲を上方に傾斜した位置まで回動するだろう。
【００２３】
スライド曲線部１１には傾斜を設けることができ、この傾斜は、このようなスライド部４の移動の間、ロックレバー１２を僅かにガイド手段１９の周囲で回転させ、よって、ヒンジ式ピン１３／ヒンジ式ポイント１４、ひいてはパネル３は、対応する動作を得、この動作は、固定屋根部２と係合しているパネル３の前縁部における適切な位置を得る、又は維持するのに必要である場合があることに注意する。加えて、パネル３の長手方向の移動は、垂直に延在する第１固定ロックガイド部分２２’の垂直線の外への移動、及び／又はロックガイド部分２２”の水平方向の外へ移動によって引き起こすことができる。
【００２４】
再び、図３を参照すると、スライド部４（駆動ケーブル６によって駆動される）が、右方向に移動した場合、まず、パネル係合手段８は、パネル曲線部９に沿って移動し、よって、パネル３は、ヒンジ式ポイント１４の周囲を、下方に傾斜した位置まで回転するだろう。その間に、ロックレバー１２のスライド係合手段１８は、スライド部４のスライド曲線部１１に対して、及びスライド曲線部の中を、左方向に移動し、最終的にスライド曲線部の上方に延在した部分１１’に到達するだろう。その結果、スライド係合手段１８及びレバー１２は、上方へ移動し、ロック部材２１は、垂直に延在する固定ロックガイド部分２２’から外へ移動するだろう。ロック部材２１は、次いで、水平に延在する固定ロックガイド部分２２”に進入し、よって、この時、ロックレバー１２は、スライド部４と同調して右方向へ移動可能となるだろう。結果として、パネル３もまた、右方向に移動するだろう。
【００２５】
上述したことは、スライド部４の右方向への移動の間、まず、パネル３は、下方に傾斜した位置へ移動し、次いで、隣接する固定屋根部２の下方、右方向にスライドすることを意味している。
【００２６】
再びパネル３を閉鎖するために、左方向へのスライド部４の逆の移動が、オープンルーフ構造のそれぞれの部品の逆の順序の移動を引き起こすであろう。
【００２７】
図示されている実施形態においては、ロックレバー１２の長手方向に見て、ガイド手段１９は、ヒンジ式ピン１３（ヒンジ式ポイント１４）とスライド係合手段１８との間に配置されている。しかし、ヒンジ式ピン１３（ヒンジ式ポイント１４）が、ガイド手段１９とスライド係合手段１８との間に配置されること、又は、ロックレバー１２の長手方向に見て、ヒンジ式ピン１３（ヒンジ式ポイント１４）は、ロックレバーのガイド手段１９と一致させることが可能である。このような異なる実施形態は、ロックレバー１２が、ガイド手段１９の周囲で回動する場合、ロックレバーのスライド係合手段１８が、スライド部４の傾斜したスライド曲線部１１（の一部分）の中を移動する結果として、ヒンジ式ポイント１４（ひいてはパネル３の前縁部）の上方向又は下方向における異なる動作を引き起こすだろう。よって、人は、個々の環境に応じて、パネル３の前縁部の最も適切な動作を選択することができる。
【００２８】
また、ロック部材２１の位置は、本明細書に図示されているような分離した部材にする代わりに、例えば、また、このようなロック部材２１が、ヒンジ式ピン１３と、又はスライド係合手段１８と一致させることができるように変更することができる。
【００２９】
さらに、図３においては、固定スライドガイド５及び固定レバーガイド２０は、別個の部材として図示されているのに対して、また、このようなガイドは、１つの単独のガイドに合体させることができることに注意する。
【００３０】
最後に、図４〜７を参照すると、本発明によるオープンルーフ構造の実施形態が、４つの異なる位置に図示されている。図４は、閉鎖された位置を示している（基本的に図３と対応している）。図５は、パネル３が傾斜位置まで上方に回動した位置を示している。図６は、パネル３が傾斜位置まで下方に回動した位置を示している。図７は、パネル３が、図６に図示された位置から開始して、右方向に移動した位置を示している。
【００３１】
図４において、スライド部４は、中央位置にあり、ロック部材２１は、垂直に延在する固定ロックガイド部分２２’の中に受け入れられている。図５において、スライド部４は、左方向に移動しており、よって、パネル係合手段８とパネル曲線部９との間の協働によって、パネル３を傾斜位置まで持ち上げている。ロック部材２１は、垂直に延在する固定ロックガイド部分２２’の中に止まっており、よって、ロックレバー１２及びパネル３を、同じ長手方向の位置に維持している。スライド係合手段１８は、スライド曲線部１１に対して、及びスライド曲線部の中で、右方向に移動している。
【００３２】
図６を参照すると、スライド部４は、この時、図４に図示されている位置から開始して、右方向に移動している。この結果、パネル３は、下方に傾斜した位置まで回動する（やはり、スライド部４のパネル係合手段８とパネル曲線部９との間の協働の結果として）。ロックレバー１２のスライド係合手段（ピン）１８は、スライド曲線部１１に対して、及びスライド曲線部の中で、左方向に移動しており、スライド曲線部の上方に延在した部分１１’にほとんど到達している。ロックレバー１２は、スライド曲線部１１の傾斜した延長部によって、スライド係合手段１８を担持するロックレバーの端部によって、上方に僅かに移動しており、よって、ロックレバー１２のロック部材２１は、垂直に延在する固定ロックガイド部分２２’及び水平に延在する固定ロックガイド部分２２”との間の、移行部の位置まで、上方に移動する。
【００３３】
図７においては、スライド４は、右方向にさらに移動しており、スライド係合手段１８は、スライド曲線部の部分１１’の中の最も高い位置へ移動している。その結果、ロック部材２１は、固定ロックガイド部分２２’から出て、固定ロックガイド部分２２”に進入する。この時、レバー１２は、パネル３と共に、スライド部４と同調して右方向に移動する。
【００３４】
本発明は、前記した実施形態に制限されることなく、特許請求の範囲によって定義される本発明の範囲内で、幅広く変更することができる。レバーガイドが少なくとも部分的に傾く、又は傾斜する場合に、パネル移動の追加の制御を得ることができることに注意する。
【図面の簡単な説明】
【００３５】
【図１】本発明によるオープンルーフ構造の分解等角図である。
【図２】組立てられた位置における図１の実施形態を示す図である。
【図３】本発明によるオープンルーフ構造の側面概略説明図である。
【図４】４つの異なる位置における、本発明によるオープンルーフ構造の部品の協働を示す側面図の１つである。
【図５】４つの異なる位置における、本発明によるオープンルーフ構造の部品の協働を示す側面図の１つである。
【図６】４つの異なる位置における、本発明によるオープンルーフ構造の部品の協働を示す側面図の１つである。
【図７】４つの異なる位置における、本発明によるオープンルーフ構造の部品の協働を示す側面図の１つである。
【符号の説明】
【００３６】
１    屋根開口部
２    固定屋根部
３    可動パネル
４    スライド部
５    固定スライドガイド
６    駆動手段
７    ガイドシュー
８    パネル係合手段
９    パネル曲線部
１０    ブラケット
１１    スライド曲線部
１１’    上方延在部分
１２    ロックレバー
１３    ヒンジ式ピン
１４    ヒンジ式ポイント
１５    ウェブ
１６    ウェブ
１７    間隔
１８    スライド係合手段
１９    ガイド手段
２０    固定レバーガイド
２１    ロック部材
２２    固定ロックガイド
２２’    第１固定ロックガイド部分
２２”    第２固定ロックガイド部分
【図１】
0005311906.tif 000002
【図２】
0005311906.tif 000003
【図３】
0005311906.tif 000004
【図４】
0005311906.tif 000005
【図５】
0005311906.tif 000006
【図６】
0005311906.tif 000007
【図７】
0005311906.tif 000008